(57)【要約】【課題】テレビジョン放送番組以外のコンテンツを受信するときも、これと同様の操作でコンテンツを選択可能とし、ユーザの使い勝手の向上を図る。【解決手段】情報受信装置１００において、予めメディアの種類を示す情報を含む複数の受信チャンネル情報をメモリＭに記憶する。受信する際に、ユーザがリモコン１８を用いて受信すべきチャンネルを指定する。例えばリモコン１８に設けられたチャンネル指定用操作キーあるいはアップダウンキーでチャンネルを指定する場合、チャンネル指定用操作キーあるいはアップダウンキーを操作すると、リモコン受光部１７がリモコン１８からの赤外線などによる操作信号を受信し、その操作信号をＣＰＵ８に供給する。次にＣＰＵ８の制御によりメモリＭから指定されたチャンネルの受信チャンネル情報を読み出す。そしてこの受信チャンネル情報に基づいて、指定されたチャンネルのコンテンツ（情報）を受信する。【選択図】　　　　図１
2004112618.tif 000002
【特許請求の範囲】
【請求項１】
複数種類のメディアからのコンテンツを受信することが可能な情報受信装置であって、
上記メディアの種類を示す情報を含む受信チャンネル情報を記憶する受信チャンネル情報記憶手段と、
受信すべきチャンネルが指定された時、上記受信チャンネル情報記憶手段に記憶されている、上記指定されたチャンネルに対応する受信チャンネル情報を読み出す受信チャンネル情報読み出し手段と、
上記受信チャンネル情報読み出し手段で読み出された受信チャンネル情報に基づいて、上記複数種類のメディアのいずれかからコンテンツを受信するように制御する受信制御手段と
を備えることを特徴とする情報受信装置。
【請求項２】
上記受信チャンネル情報は、少なくともチャンネル番号と、メディアの種類を示すメディア名データと、該メディア名データで示されるメディアから所定のコンテンツを受信するために必要な同調データとを含む
ことを特徴とする請求項１に記載の情報受信装置。
【請求項３】
上記受信チャンネル情報記憶手段に記憶された受信チャンネル情報を編集する受信チャンネル情報編集手段をさらに備える
ことを特徴とする請求項１に記載の情報受信装置。
【請求項４】
複数種類のメディアからのコンテンツを受信する情報受信方法において、
受信すべきチャンネルが指定された時、予め用意された受信チャンネル情報テーブルから上記指定されたチャンネルに対応する受信チャンネル情報を読み出す受信チャンネル情報読み出しステップと、
上記受信チャンネル情報読み出しステップで読み出された受信チャンネル情報に基づいて、上記複数種類のメディアのいずれかからコンテンツを受信するように制御する受信制御ステップと
を備えることを特徴とする情報受信方法。
【発明の詳細な説明】
【０００１】
【発明の属する技術分野】
この発明は、複数種のメディアより情報を受信する情報受信装置および情報受信方法に関する。詳しくは、複数種類のメディアからのコンテンツを受信することが可能な情報受信装置において、予めメディアの種類を示す情報を含む複数の受信チャンネル情報を記憶しておき、受信すべきチャンネルが指定された時、該チャンネルに対応する受信チャンネル情報を読み出し、読み出された受信チャンネル情報に基づいて、複数種類のメディアのいずれかからコンテンツ（情報）を受信することによって、テレビジョン放送番組以外のコンテンツ（情報）を受信するときも、テレビジョン放送番組の受信と同様の操作でコンテンツを選択することができ、ユーザの使い勝手の向上を図るようにした情報受信装置および情報受信方法に係るものである。
【０００２】
【従来の技術】
従来、テレビジョン放送受信機は、例えば地上波のＶＨＦ／ＵＨＦ放送、放送衛星を利用したＢＳ（Ｂｒｏａｄｃａｓｔ　Ｓａｔｅｌｌｉｔｅ）デジタル放送、ＣＳ（Ｃｏｍｍｕｎｉｃａｔｉｏｎ　Ｓａｔｅｌｌｉｔｅ）デジタル放送を受信し利用できるようになっている。テレビ番組を受信するとき、リモコンなどの選局装置を用いて、受信しようとするチャンネルを選択することで、選択されたチャンネルの番組内容を受信し、画面上に表示できる。チャンネル選択は、例えばリモコンのチャンネル選択ボタンを押すだけで、予め設定された受信チャンネル情報に基づいて、チャンネルを切り替え、指定されたチャンネルの番組内容を受信し、画面上に表示する。
【０００３】
このようなテレビジョン放送受信機ではそれぞれのチューナー毎に受信チャンネル情報が配列されている。図５は、従来のテレビジョン放送受信機の受信受信チャンネル情報の例を示す図である。図５に示すようにそれぞれのチューナー毎にチャンネルマップを持っている。各チャンネルの受信チャンネル情報は、チャンネル番号と該チャンネル番号に対応する受信バンド・受信周波数とを含む。
【０００４】
リモコン等でチャンネルを選択する際に、チャンネル番号を選択することにより該チャンネル番号に対応する受信バンド・受信周波数に基づいて、このチャンネルの放送信号を受信し、画面上に表示するようになされている。
【０００５】
近年、マルチメディア対応できるインターネットテレビも提案されている（例えば、特許文献１参照。）。インターネットテレビは、一般のテレビの機能とパソコンの通信機能とを結合した装置であって、テレビモードでは一般のテレビジョン放送を視聴でき、インターネットモードでは通信可能であるようになっている。
【０００６】
このようなインターネットテレビにおいて、テレビモードからインターネットモードに切り換えたり、あるいはインターネットモードからテレビモードに切り換える時、該当キーを押してモード変換を行う必要がある。例えば、ネットワーク上に流れているコンテンツを受信したいとき、テレビモードからインターネットモードに切り換えてから、予め登録されたＵＲＬ（Ｕｎｉｆｏｒｍ　Ｒｅｓｏｕｒｃｅ　Ｌｏｃａｔｏｒ）を選択するか、ＵＲＬを入力するかを行い、コンテンツを選択し受信するようになされている。
【０００７】
【特許文献１】
特開平１０−５１７０２号公報
【０００８】
【発明が解決しようとする課題】
上述した従来のインターネットテレビでは、テレビジョン放送番組、ネットワーク上に流通するコンテンツは区別された操作方法でしか選択できなかった。例えば、ユーザがテレビジョン放送番組を受信する場合は、リモコンなどで受信チャンネルを指定する。一方、テレビジョン放送番組以外のコンテンツを受信したいとき、例えば、インターネット上のコンテンツを視聴しようとする場合、テレビモードからインターネットモードに切り換えてから、予め登録されたＵＲＬを選択するか、ＵＲＬを入力するかを行い、コンテンツを選択する。このように、テレビジョン放送番組以外のコンテンツを受信するとき、テレビジョン放送受信時のチャンネル選択と異なる方法で受信したいコンテンツを選択するため、受信チャネルの選択操作が不便であった。
【０００９】
そこで、この発明は、例えばテレビジョン放送番組以外のコンテンツを受信するときも、テレビジョン放送番組の受信と同様の操作でコンテンツを選択でき、ユーザの使い勝手の向上を図るようにした情報受信装置および情報受信方法を提供することを目的とする。
【００１０】
【課題を解決するための手段】
この発明に係る情報受信装置は、複数種類のメディアからのコンテンツを受信することが可能な情報受信装置であって、メディアの種類を示す情報を含む受信チャンネル情報を記憶する受信チャンネル情報記憶手段と、受信すべきチャンネルが指定された時、受信チャンネル情報記憶手段に記憶されている、指定されたチャンネルに対応する受信チャンネル情報を読み出す受信チャンネル情報読み出し手段と、受信チャンネル情報読み出し手段で読み出された受信チャンネル情報に基づいて、複数種類のメディアのいずれかからコンテンツを受信するように制御する受信制御手段とを備えるものである。
【００１１】
例えば、受信チャンネル情報は、少なくともチャンネル番号と、メディアの種類を示すメディア名データと、該メディア名で示されるメディアから所定のコンテンツを受信するために必要な同調データとを含む。
【００１２】
また例えば、受信チャンネル情報記憶手段に記憶された受信チャンネル情報を編集する受信チャンネル情報編集手段をさらに備えようになされる。
【００１３】
この発明に係る情報受信方法は、複数種類のメディアからのコンテンツを受信する情報受信方法において、受信すべきチャンネルが指定された時、予め用意された受信チャンネル情報テーブルから指定されたチャンネルに対応する受信チャンネル情報を読み出す受信チャンネル情報読み出しステップと、受信チャンネル情報読み出しステップで読み出された受信チャンネル情報に基づいて、複数種類のメディアのいずれかからコンテンツを受信するように制御する受信制御ステップとを備えるものである。
【００１４】
この発明においては、複数種類のメディアからのコンテンツを受信することが可能な情報受信装置において、予めメディアの種類を示す情報を含む複数の受信チャンネル情報を記憶しておき、受信すべきチャンネルが指定された時、該チャンネルに対応する受信チャンネル情報を読み出し、読み出された受信チャンネル情報に基づいて、複数種類のメディアのいずれかからコンテンツを受信する。これにより、テレビジョン放送番組以外のコンテンツを受信するときも、テレビジョン放送番組の受信と同様の操作でコンテンツを選択することができ、コンテンツの選択操作が簡単となり、ユーザの使い勝手の向上を図ることができる。
【００１５】
また、受信チャンネル情報を編集することできるため、ユーザが受信チャンネル情報の順番を任意に入れ替え、削除し、または新しい受信チャンネル情報を追加することが可能となる。
【００１６】
【発明の実施の形態】
以下、図面を参照しながら、この発明の実施の形態について説明する。図１は、この発明の実施の形態の情報受信装置１００の構成を示している。
図１に示すように、情報受信装置１００は、ＢＳ／ＣＳチューナ１と、デジタル復調回路２と、エラー訂正回路３と、デマルチプレクサ４と、ＶＨＦ／ＵＨＦチューナ５と、ビデオデコーダ６と、ＭＰＥＧエンコーダ７と、ＣＰＵ８と、ＲＡＭ９と、ＲＯＭ１０と、システムバス１１と、ＭＰＥＧ（Ｍｏｖｉｎｇ　Ｐｉｃｔｕｒｅ　Ｅｘｐｅｒｔｓ　Ｇｒｏｕｐ）デコーダ１２と、ＯＳＤ（Ｏｎ　Ｓｃｒｅｅｎ　Ｄｉｓｐｌａｙ）回路１３と、ＩＤＥ（Ｉｎｔｅｇｒａｔｅｄ　Ｄｅｖｉｃｅ　Ｅｌｅｃｔｒｏｎｉｃｓ）インタフェース１４と、ローカル蓄積メディアとしてのハードディスクドライブ（以下、「ＨＤＤ」という）１５と、イーサネット（登録商標）インタフェース１６と、リモコン（リモートコントロール）受光部１７と、受信チャンネル情報記憶手段としての不揮発性メモリＭとから構成されている。
【００１７】
ＢＳ／ＣＳチューナ１は、ＢＳ／ＣＳアンテナ１９から送られてきた放送信号（ＢＳ−ＩＦ信号またはＣＳ−ＩＦ信号）から目的の放送信号を選択し、さらに増幅処理などを行ってベースバンド信号に変換する装置である。
【００１８】
デジタル復調回路２は、ＢＳ／ＣＳチューナ１より出力されるベースバンド信号の復調処理を行ってトランスポートストリームを得る回路である。このデジタル復調回路２は、例えば、ＴＣ８ＰＳＫ（Ｔｒｅｌｌｉｓ　Ｃｏｄｅｄ　８　Ｐｈａｓｅ　Ｓｈｉｆｔ　Ｋｅｙｉｎｇ）デコーダと、ＱＰＳＫ（Ｑｕａｄｒａｔｕｒｅ　Ｐｈａｓｅ　Ｓｈｉｆｔ　Ｋｅｙｉｎｇ）デコーダおよびＢＰＳＫ（Ｂｉｎａｒｙ　Ｐｈａｓｅ　ｓｈｉｆｔ　ｋｅｙｉｎｇ）デコーダ等の周知の回路系を含む。
【００１９】
エラー訂正回路３は、信号伝送中に発生したトランスポートストリームの誤りを訂正する回路である。エラー訂正回路３の処理によって、受信ＣＮ比（ＣａｒｅｅｒＮｏｉｓｅ　Ｒａｔｉｏｎ）が低い状態でも安定な受信が可能となる。デマルチプレクサ４は、トラスポートストリームから、ＭＰＥＧ形式でエンコーダされた映像信号や音声信号を分離し、コンテンツ信号として、ＭＰＥＧデコーダ１２やＨＤＤ１５に供給する。
【００２０】
ＶＨＦ／ＵＨＦチューナ５は、ＶＨＦ／ＵＨＦアンテナ２０から送られてきた放送信号から目的の放送信号を選択し、そして増幅、検波等の処理を行って映像信号および音声信号を得る装置である。
【００２１】
ビデオデコーダ６は、ＶＨＦ／ＵＨＦチューナ５より出力される映像信号および音声信号をアナログ信号からデジタル信号に変換する回路である。ＭＰＥＧエンコーダ７は、ビデオデコーダ６でデジタル信号に変換された映像信号および音声信号に対してＭＰＥＧ形式でエンコードし、エンコードされた映像信号や音声信号を、コンテンツ信号として、ＭＰＥＧデコーダ１２やＨＤＤ１５に供給する。
【００２２】
ＣＰＵ８は、システムバス１１に接続されており、ＲＯＭ１０に記憶された制御プログラム情報に従って、ＲＡＭ９をワークエリアとして使用しながら、情報受信装置１００の全体の動作を制御する。
【００２３】
メモリＭは、不揮発性メモリであり、受信チャンネル情報記憶手段として受信チャンネル情報が記憶されている。図２は、メモリＭに記憶される受信チャンネル情報テーブルの一例を示している。図２に示すように、受信チャンネル情報は、それぞれのチャンネル番号と、メディアの種類を示すメディア名データと、そのメディア名データで示されるメディアから所定のコンテンツを受信するために必要な同調データとから構成されている。同調データは、受信バンド・受信周波数、ＵＲＬ（Ｕｎｉｆｏｒｍ　Ｒｅｓｏｕｒｃｅ　Ｌｏｃａｔｏｒ）、ＦＴＰ（Ｆｉｌｅ　Ｔｒａｎｓｆｅｒ　Ｐｒｏｔｏｃｏｌ）、ＩＰアドレス（Ｉｎｔｅｒｎｅｔ　Ｐｒｏｔｏｃｏｌ　ａｄｄｒｅｓｓ）、およびファイル名等である。
【００２４】
例えば、チャンネル「１」では地上波（ＶＨＦ）テレビ放送を受信可能とされ、その受信チャンネル情報は、チャンネル番号「１」と、メディア名「Ａｎａｌｏｇ　Ｔｕ」と、受信バンド・受信周波数「ＶＨＦ　ＬＯＷ，　＆Ｈｘｘｘｘｘｘ」とされている。また、チャンネル「２」ではＢＳデジタル放送を受信可能とされ、その受信チャンネル情報は、チャンネル番号「２」と、メディア名「ＢＳ　Ｄｉｇｉｔａｌ」と、受信周波数「＆Ｈａａａａａａ」とされている。また、チャンネル「３」ではインターネットのコンテンツを受信可能とされ、その受信チャンネル情報は、チャンネル番号「３」と、メディア名「Ｅｔｈｅｒｎｅｔ（登録商標）」と、ＵＲＬ「ｈｔｔｐ：／／＊＊＊＊＊＊＊＊」とされている。また、チャンネル「６１」ではＨＤＤ１５に保存されているコンテンツを受信可能とされ、その受信チャンネル情報は、チャンネル番号「６１」と、メディア名「ＨＤＤ」と、ファイル名「ｆｉｌｅ：／／ｄｅｖ／ｈｄｄ／ｃｃｃ．ｍｐｇ」とされている。
【００２５】
ＭＰＥＧデコーダ１２は、ＭＰＥＧ形式でエンコードされているコンテンツ信号（映像信号および音声信号）のデコード処理を行うものである。ＭＰＥＧデコーダ１２で得られた映像信号および音声信号はそれぞれ映像出力端子２２および音声出力端子２３に供給され、モニタ装置で映像信号による画像が画面上に表示される。
【００２６】
ＯＳＤ回路１３は、ＣＰＵ８の制御により、モニタ装置の画面上に選局チャンネル、音量、さらには後述する受信チャンネル情報編集画面等を表示するための表示信号ＳＣＨを生成してＭＰＥＧデコーダ１２に供給する。
【００２７】
ＨＤＤ（Ｈａｒｄ　Ｄｉｓｃ　Ｄｒｉｖｅ）１５はＩＤＥインタフェース１４を介してシステムバス１１に接続されている。このＨＤＤ１５は、ＢＳ／ＣＳチューナ１およびＶＨＦ／ＵＨＦチューナ５で受信された放送信号に係るコンテンツ信号（ＭＰＥＧ形式でエンコードされた映像信号および音声信号）等を記録し再生できる蓄積メディアである。ＩＤＥインタフェース１４は、ＨＤＤ１５から読み出されたコンテンツ信号をシステムバス１１を介してＭＰＥＧデコーダ１２に供給する。
【００２８】
イーサネット（登録商標）インタフェース回路１６は、システムバス１１に接続されており、イーサネット（登録商標）端子２１を介してインターネット等のネットワークに接続される。
【００２９】
また、リモコン受光部１７は、入力操作手段としてのリモコン（リモートコントローラ）１８（図３参照）からの赤外線などによる操作信号を受信し、その操作信号をシステムバス１１を介してＣＰＵ８に供給する回路である。
【００３０】
図３は、リモコン１８の操作キー構成を示している。図３に示すように、リモコン１８には、チャンネル指定用操作キー３１（１〜１２の操作キー）と、チャンネル指定用アップダウンキー３２と、受信チャンネル情報を登録するための登録キー３３と、決定キー３４と、受信中受信チャンネル情報を登録するためのＳＥＬＥＣＴキー３５と、削除キー３６と、選択用カーソル操作キー３７とが配置されている。
【００３１】
次に、図１に示す情報受信装置１００の動作について説明する。
情報受信装置１００のメモリＭには、予め受信チャンネル情報が記憶されている。例えば、図２に示すような受信チャンネル情報が記憶されているとする。情報受信装置１００を用いて情報を受信する際に、ユーザがリモコン１８を用いて受信しようとするチャンネルを指定する。チャンネルの指定は、例えばリモコン１８に設けられたチャンネル指定用操作キー３１あるいはアップダウンキー３２で行われる。チャンネル指定用操作キー３１あるいはアップダウンキー３２を操作すると、リモコン受光部１７がリモコン１８からの赤外線などによる操作信号を受信し、その操作信号をシステムバス１８を介してＣＰＵ８に供給する。次にＣＰＵ８の制御によりメモリＭから指定されたチャンネル番号の受信チャンネル情報が読み出される。そしてこの受信チャンネル情報に基づいて、該チャンネル番号のコンテンツを受信する。
【００３２】
ＢＳ／ＣＳデジタル放送に係るチャンネルを選択する場合について説明する。例えば、ユーザがリモコン１８のチャンネル指定用操作キー３１の「２」を押すと、リモコン受光部１７がリモコン１８からの赤外線などによる操作信号を受信し、その操作信号をシステムバス１８を介してＣＰＵ８に供給する。次にＣＰＵ８の制御によりメモリＭから指定されたチャンネル番号「２」の受信チャンネル情報、例えば、Ｍｅｄｉａ：ＢＳ　Ｄｉｇｉｔａｌ；　Ｔｕｎｅ　Ｄａｔａ：＆Ｈａａａａａａを読み出す。そしてこの受信チャンネル情報に基づいて、ＣＰＵ８がＢＳ／ＣＳチューナ１の選局回路を制御する。
【００３３】
ＢＳ／ＣＳチューナ１では、ＢＳ／ＣＳアンテナ１９より送られてくる放送信号から目的のチャネル番号「２」に対応する放送信号を選択し、そして増幅などの処理を行ってベースバンド信号を出力する。ＢＳ／ＣＳチューナ１で得られたベースバンド信号はデジタル復調回路２に入力される。デジタル復調回路２で信号の復調処理が行われてトランスポートストリームが得られる。
【００３４】
このトランスポートストリームはエラー訂正回路３でエラー訂正された後にデマルチプレクサ４に供給される。デマルチプレクサ４は、トランスポートストリームから、ＭＰＥＧ形式でエンコーダされた映像信号および音声信号を分離する。この分離された映像信号および音声信号は、コンテンツ信号として、システムバス１１を介してＭＰＥＧデコーダ１２に供給される。ＭＰＥＧデコーダ１２はこのコンテンツ信号に対してデコード処理を施し、得られた再生信号（映像信号および音声信号）を出力する。
【００３５】
次に、地上波テレビジョン放送に係るチャンネルを選択する場合について説明する。例えば、ユーザがリモコン１８のチャンネル指定用操作キー３１の「１」を押すと、リモコン受光部１７がリモコン１８からの赤外線などによる操作信号を受信し、その操作信号をシステムバス１８を介してＣＰＵ８に供給する。次にＣＰＵ８の制御によりメモリＭから指定されたチャンネル番号「１」の受信チャンネル情報、例えば、Ｍｅｄｉａ：Ａｎａｌｏｇ　Ｔｕ；　Ｔｕｎｅ　Ｄａｔａ：ＶＨＦ　ＬＯＷ，　＆Ｈｘｘｘｘｘｘを読み出す。そしてこの受信チャンネル情報に基づいて、ＣＰＵ８がＶＨＦ／ＵＨＦチューナ５の選局回路を制御する。
【００３６】
ＶＨＦ／ＵＨＦチューナ５では、ＶＨＦ／ＵＨＦアンテナ２０より送られてくる放送信号から目的のチャネル番号「１」に対応する放送信号を選択し、そして増幅処理、検波処理等を行って映像信号および音声信号を生成する。これら映像信号および音声信号はビデオデコーダ６に供給されてアナログ信号からデジタル信号に変換され、その後にＭＰＥＧエンコーダ７に供給される。
【００３７】
ＭＰＥＧエンコーダ７は、ビデオデコーダ６でデジタル信号に変換された映像信号および音声信号に対してＭＰＥＧ形式でエンコードする。このＭＰＥＧエンコーダ７で得られた映像信号および音声信号は、コンテンツ信号として、システムバス１１を介してＭＰＥＧデコーダ１２に供給される。ＭＰＥＧデコーダ１２はこのコンテンツ信号に対してデコード処理を施し、得られた再生信号（映像信号および音声信号）を出力する。
【００３８】
次に、イーサネット（登録商標）端子２１に接続されているインターネットに係るチャンネルを選択する場合について説明する。例えば、ユーザがリモコン１８のチャンネル指定用キー３１の「３」を押すと、リモコン受光部１７がリモコン１８からの赤外線などによる操作信号を受信し、その操作信号をシステムバス１８を介してＣＰＵ８に供給する。次にＣＰＵ８の制御によりメモリＭから指定されたチャンネル番号「３」の受信チャンネル情報、例えば、Ｍｅｄｉａ：Ｅｔｈｅｒｎｅｔ（登録商標）；　Ｔｕｎｅ　Ｄａｔａ：ｈｔｔｐ：／／＊＊＊＊＊＊＊＊を読み出す。そしてこの受信チャンネル情報に基づいて、ＣＰＵ８がインターネットブラウザを起動し、インターネットで用いられているＵＲＬ（ｈｔｔｐ：／／＊＊＊＊＊＊＊＊）にアクセスする。
【００３９】
アクセスにより端子２１に入力されたコンテンツ信号は、インタフェース１６およびシステムバス１１を介して、ＭＰＥＧデコーダ１２に供給される。ＭＰＥＧデコーダ１２はこのコンテンツ信号中のＭＰＥＧ形式でエンコードされた映像信号および音声信号に対してデコード処理を施し、得られた再生信号（映像信号および音声信号）を出力する。
【００４０】
次に、ＨＤＤ１５に蓄積されたコンテンツに係るチャンネルを選択する場合について説明する。例えば、ユーザがリモコン１８の「６１」に相当するチャンネル指定用操作キー３１の、例えば「６」と「１」を押すと、リモコン受光部１７がリモコン１８からの赤外線などによる操作信号を受信し、その操作信号をシステムバス１８を介してＣＰＵ８に供給する。次にＣＰＵ８の制御によりメモリＭから指定されたチャンネル番号「６１」の受信チャンネル情報、例えば、Ｍｅｄｉａ：ＨＤＤ；　Ｔｕｎｅ　Ｄａｔａ：ｆｉｌｅ：／／ｄｅｖ／ｈｄｄ／ｃｃｃ．ｍｐｇを読み出す。そしてこの受信チャンネル情報に基づいて、ＣＰＵ８がＨＤＤ１５中から所定のコンテンツファイルを読み出す。
【００４１】
ＨＤＤ１５から読み出されたコンテンツ信号は、ＩＤＥインタフェース１４およびシステムバス１１を介して、ＭＰＥＧデコーダ１２に供給される。ＭＰＥＧデコーダ１２はこのコンテンツ信号中のＭＰＥＧ形式でエンコードされた映像信号および音声信号に対してデコード処理を施し、得られた再生信号（映像信号および音声信号）を出力する。
【００４２】
以上のように、テレビジョン放送番組、インターネット上のコンテンツおよびＨＤＤ１５に蓄積されたコンテンツに対して、同様な操作でチャンネルを選択し、受信することができる。
【００４３】
次に、情報受信装置１００において、受信チャンネル情報の登録・編集について説明する。受信チャンネル情報の登録方法には、直接入力登録方法と受信登録方法とがある。
【００４４】
直接入力登録方法で受信チャンネル情報を登録する場合、まず、リモコン１８に設けられた登録キー３３を押すと、受信チャンネル情報登録画面が表示される。例えば、図２に示す受信チャンネル情報のテーブルが表示され、登録しようとするチャンネルの受信チャンネル情報を入力し、決定キー３４を押すと、この受信チャンネル情報がメモリＭに記憶される。
【００４５】
メディア名、受信バンド・受信周波数の入力は、情報受信装置１００に予め用意されたデータを利用することが可能とされる。この場合、リモコン１８を用いて選択することができる。
【００４６】
また、ＵＲＬなどの文字入力は、情報受信装置１００の表示画面上に表示される文字パレット（図示せず）にて行われる。文字パレット上の文字の選択は、選択用カーソル操作キー３７で選択用カーソルを移動させ、文字が選択されている状態で決定キー３４を押すと、選択された文字が入力される。
【００４７】
また、受信登録方法で受信チャンネル情報を登録する場合、情報受信装置１００にて視聴しているテレビ番組、インターネットまたはＨＤＤからのコンテンツ中に、特別のアイコンが表示されている間に、リモコン１８に備え付けられた専用ボタン、例えばＳＥＬＥＣＴキー３５を押下することにより、受信中のチャンネルの受信チャンネル情報が受信チャンネル情報テーブルの空き欄に自動的に書き込まれる。例えば、図４に示すように、テレビ番組受信中の最初の所定期間に、画面の左下に特別なアイコンＡが表示されている。この特別なアイコンＡが表示されている間に、リモコン１８上のＳＥＬＥＣＴキー３５を押すと、受信中のチャンネルの受信チャンネル情報が、メモリＭの図２に示すような受信チャンネル情報テーブルの空き欄に自動的に書き込まれる。
【００４８】
この場合、受信チャンネル情報の「Ｍｅｄｉａ」および「Ｔｕｎｅ　Ｄａｔａ」情報は、テレビ放送のデータ放送領域で特別なアイコンＡと共に転送されていれば、それを利用できる。またインターネット上のコンテンツを受信する場合、情報受信装置１００のイーサネット（登録商標）端子２１を介して、ネットワーク上に接続されたデータサーバ（図示せず）から受信チャンネル情報の「Ｍｅｄｉａ」および「Ｔｕｎｅ　Ｄａｔａ」情報を取得してもよい。
【００４９】
また、受信チャンネル情報を削除する場合、リモコン１８に設けられた登録キー３３を押すと、チャンネル登録画面が表示される。選択用カーソル操作キー３７により削除しようとする受信チャンネル情報を選択し、削除キー３６を押すと、選択されたチャンネル番号の受信チャンネル情報が削除される。
【００５０】
なお、チャンネル番号の書き換え等の方法で、ユーザが登録された受信チャンネル情報の順番を任意に入れ替えることが可能とされる。
【００５１】
このように本実施の形態においては、複数種類のメディアより情報を受信し、画面上に表示する情報受信装置１００において、予めメディア名含む複数の受信チャンネル情報を記憶しておき、受信すべきチャンネルが指定された時、該チャンネルに対応する受信チャンネル情報を読み出し、読み出された受信チャンネル情報に基づいて、指定されたチャンネルに対応するメディアからコンテンツを受信することによって、テレビジョン放送番組以外のコンテンツ（情報）を受信するときも、テレビジョン放送番組の受信と同様な操作でコンテンツを選択することができ、コンテンツの選択操作が簡単となり、ユーザの使い勝手の向上を図ることができる。
【００５２】
また、本実施の形態においては、受信チャンネル情報を編集することができるため、ユーザが受信チャンネル情報の順番を任意に入れ替え、削除し、または新しい受信チャンネル情報を追加することができ、ユーザの使い勝手が向上する。
【００５３】
なお、上述実施の形態においては、情報受信装置１００の受信メディアとして、地上波アナログ放送、ＢＳデジタル放送、広帯域ＣＳデジタル放送、インターネット接続のためのイーサネット（登録商標）、ローカル蓄積のＨＤＤを上げて説明したが、これ以外の受信メディアにもこの発明を適用できる。
【００５４】
また、上述実施の形態においては、ローカル蓄積メディアとしてＨＤＤ１５を用いたが、これに限定されるものではない。例えば、メモリカードなどを用いてもよい。
【００５５】
また、上述実施の形態においては、チャンネルの選択、編集にリモコン１８を用いた場合について説明したが、これに限定されるものではない。例えば、情報受信装置１００の本体に配置された操作キーを用いてもよい。
【００５６】
【発明の効果】
この発明によれば、複数種類のメディアからのコンテンツを受信することが可能な情報受信装置において、予めメディアの種類を示す情報を含む複数の受信チャンネル情報を記憶しておき、受信すべきチャンネルが指定された時、該チャンネルに対応する受信チャンネル情報を読み出し、読み出された受信チャンネル情報に基づいて、複数種類のメディアのいずれかからコンテンツ（情報）を受信するものであり、テレビジョン放送番組以外のコンテンツ（情報）を受信するときも、テレビジョン放送番組の受信と同様な操作でコンテンツを選択することができ、コンテンツの選択操作が簡単となり、ユーザの使い勝手の向上を図ることができる。
【００５７】
また、この発明によれば、受信チャンネル情報を編集することできるため、ユーザが受信チャンネル情報の順番を任意に入れ替え、削除し、または新しい受信チャンネル情報を追加することができ、ユーザの使い勝手が向上する。
【図面の簡単な説明】
【図１】実施の形態としての情報受信装置の構成を示すブロック図である。
【図２】受信チャンネル情報テーブルの構成例を示す図である。
【図３】リモコンの構成例を示す図である。
【図４】テレビ画面でのアイコン表示例を示す図である。
【図５】従来の受信チャンネル情報の構成例を示す図である。
【符号の説明】
１・・・ＢＳ／ＣＳチューナ、２・・・デジタル復調回路、３・・・エラー訂正回路、４・・・デマルチプレクサ、５・・・ＶＨＦ／ＵＨＦチューナ、６・・・ビデオデコーダ、７・・・ＭＰＥＧエンコーダ、８・・・ＣＰＵ、９・・・ＲＡＭ、１０・・・ＲＯＭ、１１・・・システムバスＩＥＥＥ１３９４、１２・・・ＭＰＥＧデコーダ、１３・・・ＯＳＤ回路、１４・・・ＩＤＥインタフェース、１５・・・ＨＤＤ、１６・・・イーサネット（登録商標）インタフェース、１７・・・リモコン受光部、１８・・・リモートコントローラ（リモコン）、１９・・・ＢＳ／ＣＳアンテナ、２０・・・ＶＨＦ／ＵＨＦアンテナ、２２・・・映像出力端子、２３・・・音声出力端子、１００・・・情報受信装置、Ｍ・・・メモリ
【図１】
2004112618.tif 000003
【図２】
2004112618.tif 000004
【図３】
2004112618.tif 000005
【図４】
2004112618.tif 000006
【図５】
2004112618.tif 000007